(57)【要約】【課題】腰掛の回転動作中に当たりが発生することなく、当たりを考慮せずに通常時のガタ防止のみを主眼として調整作業を行うことができ、調整作業にかかる時間と労力を削減することが可能となる腰掛装置を提供する。【解決手段】台枠２０の底面側の四隅に、腰掛回転中心を間にして互いに対向する受板２１を２組設けると共に、脚台３０の上面側に、同じく腰掛回転中心を間にして互いに対向し、腰掛１１が各反転位置に拘束される際、各受板２１に係合して支える受部３７を、各受板２１の配置位置に対応させて２組設ける。そして、腰掛回転中心を間にして対向する各受板２１を、同じ組ごとにそれぞれ腰掛回転中心から等距離となる位置に配置する一方、隣同士に位置する別の組の各受板２１を、それぞれ腰掛回転中心から回転半径が異なる位置に配置する。【選択図】図１
2008087687.tif 000002
【特許請求の範囲】
【請求項１】
腰掛を保持する台枠を床側の脚台上に回転可能に支持し、前記台枠の回転に伴い腰掛を、前後両方向それぞれを向く各反転位置に拘束可能に設けて成る腰掛装置において、
前記台枠の底面側に設けられ、腰掛回転中心を間にして互いに対となる少なくとも２組の受板と、前記脚台の上面側に設けられ、腰掛回転中心を間にして互いに対となり、前記腰掛が前記各反転位置に拘束される際、前記各受板に係合するように前記各受板の配置位置に対応する少なくとも２組の受部とを有し、
前記各受板を、同じ組ごとにそれぞれ腰掛回転中心から等距離となる位置に配置し、かつ隣同士に位置する別の組の前記各受板を、それぞれ腰掛回転中心から回転半径が異なる位置に配置したことを特徴とする腰掛装置。
【請求項２】
前記台枠の受板および／または前記脚台の受部は、上下方向の高さ位置を調整可能に設けたことを特徴とする請求項１に記載の腰掛装置。
【発明の詳細な説明】
【技術分野】
【０００１】
本発明は、腰掛を保持する台枠を床側の脚台上に回転可能に支持し、前記台枠の回転に伴い腰掛を、前後両方向それぞれを向く各反転位置に拘束可能に設けて成る腰掛装置に関する。
【背景技術】
【０００２】
従来より、この種の腰掛装置は、腰掛を保持する台枠を床側の脚台上に回転可能に支持して成り、台枠の回転に伴い腰掛を、一般的には前後両方向それぞれを向く各反転位置に１８０度ずつ回転させて、当該位置にて拘束できるように構成されていた（例えば、特許文献１参照。）。
【０００３】
台枠の底面側の四隅には、腰掛回転中心から全て等距離となるように受板が設けられており、同様に脚台の上面側の四隅にも、各受板を受けて支持するための受部が設けられている。腰掛の通常の固定時（腰掛回転ロック状態）には、台枠の各受板が脚台の各受部に載り上げて、腰掛のガタを防止する効果を奏する。
【０００４】
腰掛を１８０度方向転換（回転）させた場合、台枠の各受板が脚台の対角線上にある別の各受部に再び載り上げるので、腰掛のガタを防止することになる。台枠の受板と脚台の受部とに隙間が生じる場合には、台枠の四隅の受板それぞれに調整用の座金を出し入れして、各受板の下端位置を調整して隙間の管理を行っている。このような調整作業により、ガタの防止を図ることができる。
【０００５】
【特許文献１】特開平１１−２４５８０８号公報
【発明の開示】
【発明が解決しようとする課題】
【０００６】
しかしながら、前述したような従来の腰掛装置では、台枠の四隅にある各受板が腰掛回転中心から全て等距離にあるため、腰掛の回転動作中に各受板は、回転軌道上に並ぶ隣の受部の上も通過することになる。そのため、受板と隣の受部とが高さ寸法で干渉していると、場合によっては受板が受部に載り上げてしまい、ゴツンという衝撃（当たり）が発生すると共に回転動作を阻害する虞もあった。
【０００７】
この回転動作時の当たりや阻害を防止するために、台枠の受板と脚台の受部との隙間を甘くする（隙間を空ける）ことにより、当たりを緩和させるように調整作業を行う。しかし、隙間を甘くするように調整すると、今度は通常時に載る受板と受部の間の隙間が大きくなり、腰掛のガタが多く出てしまうことになる。このため、腰掛のガタも当たりも発生しないようにする調整作業は、困難で時間がかかるという問題があった。
【０００８】
本発明は、以上のような従来技術の有する問題点に着目してなされたもので、腰掛の固定時における台枠の受板と脚台の受部との隙間をなくすように調整作業を行っても、腰掛の回転動作中における当たりが生じることがなく、当たりを考慮せずに通常時のガタ防止のみを主眼として調整作業を行うことができ、調整作業にかかる時間と労力を削減することができる腰掛装置を提供することを目的としている。
【課題を解決するための手段】
【０００９】
前述した目的を達成するための本発明の要旨とするところは、以下の各項の発明に存する。  
［１］腰掛（１１）を保持する台枠（２０）を床側の脚台（３０）上に回転可能に支持し、前記台枠（２０）の回転に伴い腰掛（１１）を、前後両方向それぞれを向く各反転位置に拘束可能に設けて成る腰掛装置（１０）において、
前記台枠（２０）の底面側に設けられ、腰掛回転中心を間にして互いに対となる少なくとも２組の受板（２１）と、前記脚台（３０）の上面側に設けられ、腰掛回転中心を間にして互いに対となり、前記腰掛（１１）が前記各反転位置に拘束される際、前記各受板（２１）に係合するように前記各受板（２１）の配置位置に対応する少なくとも２組の受部（３７）とを有し、
前記各受板（２１）を、同じ組ごとにそれぞれ腰掛回転中心から等距離となる位置に配置し、かつ隣同士に位置する別の組の前記各受板（２１）を、それぞれ腰掛回転中心から回転半径が異なる位置に配置したことを特徴とする腰掛装置（１０）。
【００１０】
［２］前記台枠（２０）の受板（２１）および／または前記脚台（３０）の受部（３７）は、上下方向の高さ位置を調整可能に設けたことを特徴とする［１］に記載の腰掛装置（１０）。
【００１１】
次に前述した解決手段に基づく作用を説明する。  
本発明に係る腰掛装置（１０）によれば、腰掛（１１）の固定時には、腰掛（１１）を保持する台枠（２０）側の受板（２１）が、脚台（３０）側にある受部（３７）に載り上げるように係合するため、腰掛（１１）がガタつかないように支えられる。ここで受板（２１）は、台枠（２０）の底面側に、腰掛回転中心を間にして対となるように少なくとも２組設けられ、また受部（３７）は、脚台（３０）の上面側に、同じく腰掛回転中心を間にして対となるように少なくとも２組設けられるので、台枠（２０）は腰掛回転中心の円周方向に沿った複数箇所で支持され、一方向に偏ることなく全体的に安定した状態で、より確実にガタつかないよう支持される。
【００１２】
各受板（２１）は、同じ組ごとに腰掛回転中心から等距離となる位置に配置されるが、隣同士に位置する別の組の各受板（２１）同士では、それぞれ腰掛回転中心から回転半径が異なる位置に配置される。そのため、各受板（２１）はそれぞれ隣の受板（２１）とは回転軌道が同心円上にずれて異なり、腰掛（１１）の回転動作中に各受板（２１）は、隣に並ぶ受板（２１）に対応していた脚台（３０）側の受部（３７）の上は通過しない。従って、仮に受板（２１）とその隣の受板（２１）に対応する受部（３７）とが高さ寸法で干渉したとしても、腰掛（１１）の回転動作中に受板（２１）が受部（３７）に載り上げるように衝突する「当たり」が生じることはない。
【００１３】
腰掛装置（１０）の組立時ないし車体取付け時において、腰掛（１１）の固定時におけるガタが万一生じた場合には、台枠（２０）の受板（２１）と脚台（３０）の受部（３７）との隙間をなくすように調整する作業が必要となるが、このような作業により、受板（２１）とその隣の受板（２１）に対応する受部（３７）とが高さ寸法で干渉する結果を招いたとしても、前述したように腰掛（１１）の回転動作中における受板（２１）の当たりは根本的に生じることがない。従って、回転動作時の当たりは考慮せずに、通常の固定時のガタ防止のみを主眼として調整作業を行うことができ、調整作業にかかる時間と労力を削減することが可能となる。
【００１４】
また、前記台枠（２０）の受板（２１）および／または前記脚台（３０）の受部（３７）を、上下方向の高さ位置を調整可能に設けると良い。これにより、台枠（２０）の受板（２１）と脚台（３０）の受部（３７）との隙間をなくすように調整する作業を容易に行うことができる。
【発明の効果】
【００１５】
本発明に係る腰掛装置によれば、腰掛の固定時における台枠の受板と脚台の受部との隙間をなくすように調整作業を行っても、腰掛の回転動作中における当たりが生じることがなく、当たりは考慮せずに通常時のガタ防止のみを主眼として調整作業を行うことができ、調整作業にかかる時間と労力を削減することが可能であると共に、根本的に回転動作中に当たりが発生しない構造となり、回転腰掛としての品質が向上する。
【発明を実施するための最良の形態】
【００１６】
以下、図面に基づき本発明を代表する一の実施の形態を説明する。  
図１〜図１４は本発明の一実施の形態を示している。  
図１１は、本発明の一実施の形態に係る腰掛装置の正面図である。図１２は、同じく、腰掛装置の側面図である。図１３は、同じく腰掛装置の平面図である。図１４は、同じく腰掛装置の背面図である。
【００１７】
図１１〜図１４に示すように、腰掛装置１０は、例えば鉄道車両内に装備されるものであり、腰掛１１を保持する台枠２０を床側の脚台３０上に回転可能に支持し、前記台枠２０の回転に伴い腰掛１１を、前後両方向それぞれを向く各反転位置に拘束可能に設けて成る。
【００１８】
腰掛１１は、そのフレームを成す台枠２０上に２席分を有する座部１２を装着し、座部１２の後端に２席分の背凭れ部１３を別々に起倒可能に支持して成る。本実施の形態では、座部１２および背凭れ部１３は２人掛け用に形成されているが、１人掛け用、あるいは３人掛け用であってもかまわない。台枠２０は、矩形枠状に構成されている。
【００１９】
座部１２の両側端には、それぞれ固定式肘掛け１４が固設されており、また、各背凭れ部１３の間には、可動式肘掛け１５が起倒可能に支持されている。さらに、各背凭れ部１３の後面側には、後方に配置される別の腰掛１１の着席者が使用するための収納式のテーブル１６が設けられている。
【００２０】
腰掛装置１０は、腰掛１１、台枠２０、脚台３０の他、腰掛１１すなわち台枠２０を１８０度ずつ正逆２方向に回転させるための回転機構と、腰掛１１を各反転位置にそれぞれ拘束するためのロック機構とを有している。なお、台枠２０を回転させるための動力は、着座者の操作による手動でも良く、あるいは電動力により自動的に回転させる駆動機構を備えるように構成しても良い。
【００２１】
図４および図５に示すように、脚台３０は、床に直接立設される脚部３１と、この脚部３１の上端に略水平な状態で固設される矩形枠状の上面部３２とから構成されている。上面部３２の略中央には円孔３３が開設されており、回転機構は前記円孔３３の内縁に沿って上下から円周方向に移動可能に嵌合する一対の回転板３４から成る。上側の回転板３４は、腰掛１１側の台枠２０の底面側に一体に固定される。かかる回転機構により、台枠２０は、前記円孔３３の孔中心を腰掛回転中心として回転可能に支持される。
【００２２】
また、脚台３０の上面部３２の一側端には、ロック機構の足踏レバー３５が揺動可能に取付けられている。足踏レバー３５の先端側を踏み込んだり解放することにより、足踏レバー３５の基端側に設けられた係合凸部３６が左右方向に出没するよう設定されている。腰掛１１側の台枠２０の両側端には、それぞれ前記足踏レバー３５の係合凸部３６が嵌挿する被係合凹部（図示せず）が設けられている。なお、足踏レバー３５は、付勢ばね３８により係合凸部３６が突出する方向に付勢されている。
【００２３】
図１〜図３に示すように、腰掛１１側の台枠２０の底面側には、腰掛回転中心を間にして互いに対となる少なくとも２組の受板２１が設けられている。台枠２０は矩形枠状に構成されており、該台枠２０の四隅に位置するように、本実施の形態では２組の受板２１が設けられている。
【００２４】
詳しく言えば各受板２１は、図７〜図１０に示すように、台枠２０の底面側の四隅に取付ネジ２２を介して固定されるダンパー２３から成る。ここで取付ネジ２２は、上下方向に移動可能に螺合しており、取付ネジ２２を正逆両方向に回動させることで、上下方向の高さ位置を調整できるようになっている。ダンパー２３は、金属あるいは樹脂により成形すると良い。
【００２５】
また、取付ネジ２２の回動によりダンパー２３が下方に移動し、ダンパー２３の上端面と台枠２０の底面側との間に隙間が生じる場合には、図１０に示す高さ位置調整用の座金２４を必要な枚数だけ介装させることになる。座金２４は、金属あるいは樹脂により成形すると良いが、樹脂製の場合には強度を保つために金属製より厚く成形する必要がある。
【００２６】
各受板２１は、同じ組ごとにそれぞれ腰掛回転中心から等距離となる位置に配置され、かつ隣同士に位置する別の組の各受板２１は、それぞれ腰掛回転中心から回転半径が異なる位置に配置されている。すなわち、図１中では、右斜め上に延びる対角線上にある一対の受板２１は、左斜め上に延びる対角線上にある一対の受板２１に比べて、腰掛回転中心からの回転半径が長い位置に配置されている。
【００２７】
一方、脚台３０の上面部３２には、腰掛回転中心を間にして互いに対となり、前記腰掛１１（台枠２０）が各反転位置にロック機構によって拘束される際、前記各受板２１に係合するように各受板２１の配置位置に対応する少なくとも２組の受部３７が設けられている。上面部３２も台枠２０と同様に矩形枠状に構成されており、該上面部３２の四隅に位置するように、本実施の形態では２組の受部３７が設けられている。
【００２８】
詳しく言えば各受部３７は、図７〜図９に示すように、上面部３２の上面側の四隅に一体に固設されたブラケットから成る。このブラケットから成る受部３７の上端面部に、前記各受板２１のダンパー２３が係脱するように設定されている。
【００２９】
各受部３７も前記各受板２１と同様に、同じ組ごとにそれぞれ腰掛回転中心から等距離となる位置に配置され、かつ隣同士に位置する別の組の各受部３７は、それぞれ腰掛回転中心からの距離が異なる位置に配置されている。すなわち、図１中では、右斜め上に延びる対角線上にある一対の受部３７は、左斜め上に延びる対角線上にある一対の受部３７に比べて、腰掛回転中心からの距離が長い位置に配置されている。
【００３０】
次に、本腰掛装置１０の作用を説明する。  
本腰掛装置１０によれば、腰掛１１の固定時には、図４に示すように、腰掛１１を保持する台枠２０側の受板２１が、脚台３０側にある受部３７に載り上げるように係合するため、腰掛１１がガタつかないように支えられる。ここで受板２１は、台枠２０の底面側の四隅に、腰掛回転中心を間にして対となるように２組あり、また受部３７は、脚台３０の上面側の四隅に、同じく腰掛回転中心を間にして対となるように２組あるので、台枠２０は腰掛回転中心の円周方向に沿った複数箇所で支持され、一方向に偏ることなく全体的に安定した状態で、より確実にガタつかないよう支持される。
【００３１】
図１に示すように、各受板２１は、同じ組ごとに腰掛回転中心から等距離となる位置に配置されるが、隣同士に位置する別の組の各受板２１同士では、それぞれ腰掛回転中心から回転半径が異なる位置に配置される。そのため、各受板２１はそれぞれ隣の受板２１とは回転軌道が同心円上にずれて異なり（図１中の矢印参照。）、腰掛１１の回転動作中に各受板２１は、隣に並ぶ受板２１に対応していた脚台３０側の受部３７の上は通過しない。従って、仮に受板２１とその隣の受板２１に対応する受部３７とが高さ寸法で干渉したとしても、腰掛１１の回転動作中に受板２１が受部３７に載り上げるように衝突する「当たり」が生じることはない。
【００３２】
腰掛装置１０の組立時ないし車体取付け時において、腰掛１１の固定時におけるガタが万一生じた場合には、台枠２０の受板２１と脚台３０の受部３７との隙間をなくすように調整する作業が必要となる。この作業により、受板２１とその隣の受板２１に対応する受部３７とが高さ寸法で干渉する結果を招いたとしても、前述したように腰掛１１の回転動作中における受板２１の当たりは根本的に生じることがない。従って、回転動作時の当たりを考慮せずに、通常の固定時のガタ防止のみを主眼として調整作業を行うことができ、調整作業にかかる時間と労力を削減することが可能となる。
【００３３】
腰掛１１の固定時におけるガタを調整するためには、図８において、台枠２０側にある受板２１の上下方向の高さ位置を調整すると良い。受板２１と受部３７との間に隙間が生じる場合には、この隙間がなくなる程度に受板２１を下方向へ移動させ、一方、受板２１と受部３７とが上下方向で干渉する場合には、この干渉がなくなる程度に受板２１を上方向へ移動させれば良い。
【００３４】
受板２１を構成する取付ネジ２２は上下方向に移動可能に螺合しており、取付ネジ２２を正逆両方向に回動させることで、受板２１が受部３７に実際当接する部位であるダンパー２３の上下方向の高さ位置を調整することができる。ここでダンパー２３が下方に移動し、ダンパー２３の上端面と台枠２０の底面側との間に隙間が生じた場合は、図１０に示す高さ位置調整用の座金２４を必要な枚数だけ介装させることになる。
【００３５】
図１および図２において、腰掛１１を１８０度回転させて向きを反転させる場合には、先ず足踏レバー３５を踏んでロック機構による拘束を解除する。すなわち、足踏レバー３５を踏むことにより、図２において時計方向に揺動すると、係合凸部３６が台枠２０側にある被係合凹部（図示せず）から抜けるので、台枠２０の拘束が解除されて腰掛１１の回転が可能になる。
【００３６】
次いで、腰掛１１を保持する台枠２０を１８０度回転させ、もう一方の反転位置になると、付勢ばね３８の付勢力によって足踏レバー３５は元の位置に復帰し、係合凸部３６が台枠２０側にある被係合凹部（図示せず）に嵌挿し、再びロック機構により当該反転位置に台枠２０は腰掛１１と共に拘束されることになる。このような腰掛１１の回転動作中において、前述したように、受板２１が受部３７に載り上げるように衝突する「当たり」が生じることはない。
【００３７】
以上、本発明の実施の形態を図面によって説明してきたが、具体的な構成は前述した実施の形態に限られるものではなく、本発明の要旨を逸脱しない範囲における変更や追加があっても本発明に含まれる。例えば、前記実施の形態では、腰掛１１は台枠２０と共に、手動によって正逆２方向に回転駆動されるように構成したが、駆動モータや動力伝達機構による電動力で回転駆動するように構成しても良い。
【００３８】
また、腰掛１１については、鉄道車両内に装備される２人掛けのものを説明したが、座る人数や装備される乗り物はこれに限定されるものではない。また、前記実施の形態では、台枠２０の四隅に２組の受板２１を設けると共に、脚台３０の四隅に２組の受部３７を設けたが、これらは必要に応じて、３組あるいは４組等と、２組以上設ければ良いものである。
【００３９】
さらに、前記実施の形態では、台枠２０側に設けた受板２１を上下方向の高さ位置を調整できるように構成したが、脚台３０側に設けた受部３７の方を上下方向の高さ位置を調整できるように構成しても良く、あるいは受板２１および受部３７の両方の高さ位置を調整できるように構成しても良い。
【図面の簡単な説明】
【００４０】
【図１】本発明の一実施の形態に係る腰掛装置の台枠および脚台の一部を示す平面図である。
【図２】本発明の一実施の形態に係る腰掛装置の台枠および脚台の一部を示す正面図である。
【図３】本発明の一実施の形態に係る腰掛装置の台枠および脚台の一部を示す側面図である。
【図４】本発明の一実施の形態に係る腰掛装置の台枠の一部および脚台を示す平面図である。
【図５】本発明の一実施の形態に係る腰掛装置の台枠の一部および脚台を示す正面図である。
【図６】本発明の一実施の形態に係る腰掛装置の台枠の一部および脚台を示す側面図である。
【図７】本発明の一実施の形態に係る腰掛装置の台枠側の受板および脚台側の受部を示す平面図である。
【図８】本発明の一実施の形態に係る腰掛装置の台枠側の受板および脚台側の受部を示す側面図である。
【図９】本発明の一実施の形態に係る腰掛装置の台枠側の受板および脚台側の受部を示す正面図である。
【図１０】本発明の一実施の形態に係る腰掛装置の台枠側の受板の高さ調整用の座金を示す平面図である。
【図１１】本発明の一実施の形態に係る腰掛装置を示す正面図である。
【図１２】本発明の一実施の形態に係る腰掛装置を示す側面図である。
【図１３】本発明の一実施の形態に係る腰掛装置を示す平面図である。
【図１４】本発明の一実施の形態に係る腰掛装置を示す背面図である。
【符号の説明】
【００４１】
１０…腰掛装置
１１…腰掛
１２…座部
１３…背凭れ部
１４…固定式肘掛け
１５…可動式肘掛け
１６…テーブル
２０…台枠
２１…受板
２２…取付ネジ
２３…ダンパー
２４…座金
３０…脚台
３１…脚部
３２…上面部
３５…足踏レバー
３６…係合凸部
３７…受部
【図１】
2008087687.tif 000003
【図２】
2008087687.tif 000004
【図３】
2008087687.tif 000005
【図４】
2008087687.tif 000006
【図５】
2008087687.tif 000007
【図６】
2008087687.tif 000008
【図７】
2008087687.tif 000009
【図８】
2008087687.tif 000010
【図９】
2008087687.tif 000011
【図１０】
2008087687.tif 000012
【図１１】
2008087687.tif 000013
【図１２】
2008087687.tif 000014
【図１３】
2008087687.tif 000015
【図１４】
2008087687.tif 000016